(57)【要約】      （修正有）【課題】使用者にＬＥＤランプの取り付け時に不便を発生させないＬＥＤランプを提供する。【解決手段】ＬＥＤランプは、放熱管体と、端蓋と、回路板と、複数のＬＥＤと、絶縁部材と、交直流変換器と、を含む。この放熱管体は、安置表面及び収容空間を有し、端蓋は、放熱管体の一端に設置される。回路板は、放熱管体の安置表面に設置され、交直流変換器は、収容室内に位置し、且つその出力端は、回路板上に設置され、回路板上のＬＥＤに電源を供給する。絶縁部材は、放熱管体の一端に設置され、端蓋と相互に組み合わさり、それは、阻隔板１５２及び延伸部を含み、そのうち、阻隔板は、貫通孔を有する。交直流変換器は、入力導線を有し、それは、阻隔板１５２の貫通孔を貫通して導電棒と電気接続する。阻隔板１５２は、交直流変換器及び端蓋の導電棒間に位置し、交直流変換器を端蓋上の導電棒と電気絶縁させる。【選択図】図２Ａ
2013065535.tif 000002
【特許請求の範囲】
【請求項１】
放熱管体と、端蓋と、少なくとも１つの回路板と、複数のＬＥＤと、交直流変換器と、絶縁部材と、を含むＬＥＤランプであって、
前記放熱管体は、安置表面及び収容空間を有し、
前記端蓋は、前記放熱管体の一端に設置され、前記蓋体上に２つの導電棒を設置し、前記導電棒が前記端蓋を貫通し、
前記回路板は、前記安置表面上に設置され、
前記ＬＥＤは、前記回路板上に設置され、
前記交直流変換器は、前記収容空間内に位置し、前記交直流変換器の出力端は、前記回路板上に設置され、前記ＬＥＤに電源を供給し、
前記絶縁部材は、前記放熱管体の一端に設置され、且つ絶縁材質から形成され、前記絶縁部材は、前記端蓋と相互に組み合わさり、前記絶縁部材は、
貫通孔を有する阻隔板と、
前記阻隔板上に設置され、前記放熱管体の内部表面上に固定される延伸部と、
を含み、そのうち、前記交直流変換器は、入力導線を有し、前記入力導線は、前記阻隔板の貫通孔を貫通して前記導電棒と電気接続し、且つ前記阻隔板は、前記交直流変換器及び前記導電棒間に位置し、前記交直流変換器を前記導電棒と電気絶縁させるＬＥＤランプ。
【請求項２】
前記延伸部の上方辺縁は、凸リブを設け、前記凸リブは、前記回路板の端部を包囲し、前記交直流変換器の出力端の出力端を前記放熱管体と電気絶縁する請求項１に記載のＬＥＤランプ。
【請求項３】
前記入力導線は、前記延伸部が包囲する空間を貫通し、前記入力導線を前記放熱管体と電気絶縁させる請求項１に記載のＬＥＤランプ。
【請求項４】
前記安置表面上に２つの回路板を設け、前記２つの回路板の接続箇所に絶縁ペーストを塗布する請求項１に記載のＬＥＤランプ。
【請求項５】
前記ＬＥＤ及び前記回路板の側辺の間に安全な距離を有し、そのうち、前記安全な距離が６ｍｍである請求項１に記載のＬＥＤランプ。
【発明の詳細な説明】
【技術分野】
【０００１】
本発明は、管型灯具に関し、特にＬＥＤランプに関する。
【背景技術】
【０００２】
発光ダイオード（Light emitting diode、以下ＬＥＤと略記する）は、低エネルギー消耗、使用寿命が長い、体積が小さい、反応が速い等の利点を有し、且つ近年よりその技術の発展が日増しに成熟しているということができるので、既に徐々に従来の灯具に取って代わり、特に、ＬＥＤを使用量が最大の蛍光灯方面に応用するようになっており、即ち、ＬＥＤランプは、現在の業界研究の主な課題となっている。
【０００３】
現在、市場のＬＥＤランプは、一般に回路板及び複数のＬＥＤを含み、これらＬＥＤは、回路板のうちの一表面上に設置される。ＬＥＤが発出する熱量を排除する為、往々にして回路板の他表面上に半円柱状の放熱管体を設置し、この放熱管体は、アルミで形成される。この放熱管体により、ＬＥＤが発する廃熱を排除することができる。放熱管体は、アルミ又はその他の高熱伝導係数を有する金属から形成され、これら熱伝導係数を有する金属は、往々にして良好な導電性も有するので、漏電の状況を発生する可能性があり、使用者がＬＥＤランプを設置する時に安全上の懸念を有することになる。
【０００４】
漏電の状況を発生する主な要因として、電流がＬＥＤランプ内部で流動する時、電気絶縁の設計不良により、電流を放熱管体上に伝導させることによる可能性がある。漏電の状況が発生することを回避する為、一部のＬＥＤメーカーは、交直流変換器をＬＥＤランプの外部に設置しているが、このように、灯構造上に別途空間を設け、交直流変換器を収容する必要があり、これは、ＬＥＤランプの取り付け上の不便を招いている。
【０００５】
従って、如何にＬＥＤランプの設計を安全上の規範に適合させ、同時に使用者にＬＥＤランプの取り付け時に不便を発生させないようにするかは、当業者が重視するに値する問題である。
【発明の概要】
【発明が解決しようとする課題】
【０００６】
本発明の目的は、安全上の規範に適合し、同時に使用者にＬＥＤランプの取り付け時に不便を発生させないＬＥＤランプを提供することである。
【課題を解決するための手段】
【０００７】
上記の目的及びその他の目的に基づき、本発明は、ＬＥＤランプを提供する。このＬＥＤランプは、放熱管体と、端蓋と、少なくとも１つの回路板と、複数のＬＥＤと、絶縁部材と、交直流変換器と、を含む。この放熱管体は、安置表面及び収容空間を有し、端蓋は、放熱管体の一端に設置される。端蓋上に２つの導電棒を設置し、該導電棒は、端蓋を貫通する。回路板は、放熱管体の安置表面上に設置され、ＬＥＤは、回路板上に分布される。交直流変換器は、収容空間内に位置し、且つその出力端は、回路板上に設置され、回路板上に設置するＬＥＤに電源を供給する。絶縁部材は、放熱管体の一端に設置され、且つ絶縁材質から形成され、該絶縁部材及び端蓋は、相互に組み合わさる。この絶縁部材は、阻隔板及び延伸部を含み、そのうち、阻隔板は、貫通孔を有する。延伸部は、阻隔板上に設置され、該延伸部は、放熱管体の内部表面上に固定される。そのうち、交直流変換器は、入力導線を有し、該入力導線は、阻隔板の貫通孔を貫通し、導電棒と電気接続する。また、阻隔板は、交直流変換器及び導電棒間に位置し、交直流変換器を導電棒と電気絶縁させる。
【０００８】
上記ＬＥＤランプにおいて、延伸部の上方辺縁は、凸リブを設け、該凸リブは、回路板の端部を包囲し、交直流変換器の出力端を放熱管体と電気絶縁する。
【０００９】
上記のＬＥＤランプにおいて、入力導線は、延伸部が包囲する空間を貫通し、該入力導線は、該放熱管体と電気絶縁する。
【００１０】
上記のＬＥＤランプにおいて、放熱管体の安置表面上に２つの回路板を設け、該２つの回路板の連接箇所に絶縁ペーストを塗布する。
【００１１】
上記のＬＥＤランプにおいて、ＬＥＤ及び該回路板の側辺間に安全な距離を有し、この安全な距離は、例えば、６ｍｍである。
【００１２】
上記のＬＥＤランプにおいて、放熱管体の材質がアルミである。
【００１３】
上記のＬＥＤランプにおいて、端蓋の内側に少なくとも１つのラッチを設け、該端蓋は、該ラッチ及び阻隔板上の貫通孔により該絶縁部材と嵌合する。
【００１４】
上記のＬＥＤランプにおいて、放熱管体が中空半円柱状を呈する。
【発明の効果】
【００１５】
本発明は、安全上の規範に適合し、同時に使用者にLEDランプの取り付け時に不便を発生させないＬＥＤランプを提供する。
【図面の簡単な説明】
【００１６】
【図１Ａ】本発明のＬＥＤランプの第１実施例である。
【図１Ｂ】ＬＥＤランプの分解図である。
【図２Ａ】絶縁部材の立体図である。
【図２Ｂ】絶縁部材及び端蓋間の分解図である。
【図３】ＬＥＤランプのうちの一部分を示し、回路板、ＬＥＤ、絶縁部材、及び放熱管体間の組み合わせ関係を示す図である。
【図４】本発明のＬＥＤランプの第２実施例を示す図である。
【発明を実施するための形態】
【００１７】
図１Ａ及び図１Ｂを参照し、図１Ａが示すのは、本発明のＬＥＤランプの第１実施例であり、図１Ｂが示すのは、ＬＥＤランプの分解図である。このＬＥＤランプ１００は、放熱管体１１０と、端蓋１２０と、回路板１３０と、複数のＬＥＤ１４０と、絶縁部材１５０と、交直流変換器１６０と、を含む。そのうち、放熱管体１１０は、半円柱状を呈し、且つ安置表面１１２を有し、回路板１３０は、安置表面１１２上に設置される。放熱管体１１０に相対して、ＬＥＤ１４０は、回路板１３０のもう片側に分布する。本実施例において、放熱管体１１０は、中空状を呈し、放熱管体１１０の内部に収容空間１１４を有し、交直流変換器１６０は、放熱管体１１０の内部に設置され、交直流変換器１６０は、交流電を直流電に変換することができ、直流電をＬＥＤ１４０に伝送し、ＬＥＤ１４０を発光させる。一般に、交直流変換器１６０の外部に絶縁管を更に設け（図示せず）、この絶縁管も放熱管体１１０の内部に位置し、放熱管体１１０及び交直流変換器１６０を電気絶縁することに用いる。ＬＥＤ１４０が駆動された後、発光すると同時に廃熱を発生し、これら廃熱は、放熱管体１１０を介して外部に伝導される。本実施例において、放熱管体１１０は、アルミで形成されるが、当業者は、その他の熱伝導材質を選択して放熱管体１１０を製造することもできる。また、絶縁部材１５０は、絶縁材質（例えば、ポリメチルメタクリレート）から形成され、且つ放熱管体１１０の一端に設置される。また、ＬＥＤランプ１００は、更に灯カバー１７０を含むが、回路板１３０及びＬＥＤ１４０を表示するため、図１Ａにおいて、灯カバー１７０を隠している。灯カバー１７０の効用は、回路板１３０及びＬＥＤ１４０が外部環境の汚染を受けることを防止することができるだけでなく、更にＬＥＤ１４０が発する光を均一化することができる。
【００１８】
更に、図２Ａ及び図２Ｂを参照し、図２Ａが示すのは、絶縁部材１５０の立体図であり、図２Ｂが示すのは、絶縁部材１５０及び端蓋１２０間の分解図である。この絶縁部材１５０は、一体に成型される部材であり、それは、阻隔板１５２と、延伸部１５４と、凸リブ１５６と、接合部材１５８と、を含み、そのうち、延伸部１５４は、阻隔板１５２上に設置され、且つ放熱管体１１０の内部に伸入する。本実施例において、延伸部１５４は、阻隔板１５２上に設置され、且つ放熱管体１１０の内部に伸入する。本実施例において、延伸部１５４は、粘着固定の方式を利用し、放熱管体１１０上に組み合わせられる。
【００１９】
端蓋１２０の内側に更に一対のラッチ１２６を設け、阻隔板１５２上に２つの貫通孔、即ち、貫通孔１５２ａ及び貫通孔１５２ｂを設ける。ラッチ１２６を貫通孔１５２ａ、貫通孔１５２ｂ上に嵌合することにより、端蓋１２０を絶縁部材１５０上に組み合わせることができる。また、端蓋１２０が絶縁部材１５０上に組み合わさる時、接合部材１５８により、端蓋１２０の位置合わせを便利にし、且つ端蓋１２０を絶縁部材１５０上に安定して組み付けることができる。
【００２０】
端蓋１２０上に更に２つの導電棒１２２を設置し（図１Ａ参照）、この導電棒１２２は、端蓋１２０を介し、導電棒１２２のうちの一端は、端蓋１２０に凸出し、挿入ソケット（図示せず）に挿入接続することができ、導電棒１２２の他端は、端蓋１２０の内部に挿入され、且つ変換接続部材１２４は、その上に設置される。また、交直流変換器１６０は、更に、入力導線１６４を有し、この入力導線１６４は、阻隔板１５２上の通孔１５２ａを貫通して変換接続部材１２４と相互に接続する。従って、外部電力は、導電棒１２２と、変換接続部材１２４と、入力導線１６４と、を経由し交直流変換器１６０に伝導され、その後、交直流変換器１６０は、交流電を直流電に変換する。交直流変換１６０と導電棒１２２又は変換接続部材１２４との間に阻隔板１５２を設けることにより、導電棒１２２又は変換接続部材１２４の端部の放電が放熱管体１１０上に伝導されることがなくなる。また、本実施例中の延伸部１５４は、半円弧状であり、それが包囲する空間１５４ａは、入力導線１６４を通過させることができる。延伸部１５４は、絶縁材質であるので、それは、入力導線１６４及び放熱管体１１０を電気絶縁することができ、入力導線１６４中の電流が放熱管体１１０上に伝導されることを回避することができる。
【００２１】
また、図２Ａ及び図３を同時に参照し、図３が示すのは、ＬＥＤランプのうちの一部分であり、図３中に回路板１３０と、ＬＥＤ１４０と、絶縁部材１５０と、放熱管体１１０と、の間の組み合わせ関係を示す。図３から分かるように、交直流変換器１６０の出力端１６２は、回路板１３０上に設置され、交直流変換器１６０は、直流電源を出力端１６２から出力後、回路板１３０上の回路（図示せず）を経て各ＬＥＤ１４０上に伝導する。また、絶縁部材１５０は、更に凸リブ１５６を含み、この凸リブ１５６は、延伸部１５４の上方辺縁に設置され、且つ回路板１３０の端部に包囲され、交直流変換器１６０の出力端１６２を放熱管体１１０と電気絶縁させる。また、ＬＥＤ１４０及び回路板１３０側辺の距離は、安全距離Ｄに保持され、本実施例では、この安全距離Ｄは、６ｍｍである。即ち、ＬＥＤ１４０が発生する漏電が放熱管体１１０に伝導されることがない。
【００２２】
絶縁部材１５０の阻隔板１５２の設置により、導電棒１２２又は変換接続部材１２４の端部の放電は、放熱管体１１０上に伝導されることがない。また、交直流変換器１６０及び放熱管体１１０の間に絶縁部材１５０を有する延伸部１５４が存在するので、放熱管体１１０は、交直流変換器１６０の影響により帯電することがない。また、交直流変換器１６０の出力端１６２の両端は、凸リブ１５６の設置により、出力端１６２の放電が放熱管体１１０上に伝導されることがない。このことにもより、放熱管体１１０は、ＬＥＤランプ１００内部の電流により帯電することがないので、使用者は、ＬＥＤランプ１００を取り付ける時に感電等の安全の問題を懸念することがない。
【００２３】
図４を参照し、図４が示すのは、本発明のＬＥＤランプの第２実施例である。本実施例において、第１実施例と相似する部材は、同一の符号で示し、且つ再度詳細な説明を行わない。本実施例において、ＬＥＤランプ１００’は、２つの回路板１３０を有し、この２つの回路板１３０は、相互に突き合わせ接合される。また、２つの回路板１３０の間は、絶縁ペースト１３２を充填し、この絶縁ペースト１３２は、例えば、シリコンゲルであり、それは、２つの回路板１３０間の隙間を充填することに用い、電流が隙間中の空気を経由して放熱管体１１０に伝導することを回避する。また、この絶縁ペースト１３２は、更に、回路１３０を固定する効果を有する。
【符号の説明】
【００２４】
１００…ＬＥＤランプ、
１１０…放熱管体、
１１２…安置表面、
１１４…収容空間、
１２０…端蓋、
１２２…導電棒、
１２４…変換接続部材、
１２６…ラッチ、
１３０…回路板、
１４０…ＬＥＤ、
１５０…絶縁部材、
１５２…阻隔板、
１５２ａ，１５２ｂ…貫通孔、
１５４…延伸部、
１５６…凸リブ、
１５８…接合部材、
１６０…交直流変換器、
１６２…出力端、
１６４…入力導線、
１７０…灯カバー。
【図１Ａ】
2013065535.tif 000003
【図１Ｂ】
2013065535.tif 000004
【図２Ａ】
2013065535.tif 000005
【図２Ｂ】
2013065535.tif 000006
【図３】
2013065535.tif 000007
【図４】
2013065535.tif 000008